【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
高速パケットアクセスをサポートする無線広域システムにおいて、物理チャネルの取り除きを可能にする方法であって、前記方法は、
１つ以上の移動端末（３２）を対象とした多くの論理ダウンリンクチャネル（ＰＣＣＨ、ＣＣＣＨ、ＢＣＣＨ、ＣＴＣＨ、ＭＣＣＨ、ＭＳＣＨ、ＭＴＣＨ）においてデータを受信する工程（５６）と、
前記論理ダウンリンクチャネルの第１のグループ（ＣＣＣＨ、ＢＣＣＨ、ＣＴＣＨ、ＭＣＣＨ、ＭＳＣＨ、ＭＴＣＨ）のデータに、一群の移動端末をアドレスする高速無線ネットワークの第１のテンポラリアイデンティティを割り当て、高速ダウンリンク共有チャネル（ＨＳ−ＤＳＣＨ）を経由して１つ以上の移動端末（３２）による受信のために、前記第１のグループのチャネル（ＣＣＣＨ、ＢＣＣＨ、ＣＴＣＨ、ＭＣＣＨ、ＭＳＣＨ、ＭＴＣＨ）の前記データが送信できるようにする工程と、
単一の論理ダウンリンク呼出チャネル（ＰＣＣＨ）のデータに第２のテンポラリアイデンティティを割当てる工程とを有することを特徴とする方法。
【請求項２】
少なくとも対応する論理チャネルを示す前記第１のグループの前記論理ダウンリンクチャネル（ＣＣＣＨ、ＢＣＣＨ、ＣＴＣＨ、ＭＣＣＨ、ＭＳＣＨ、ＭＴＣＨ）のデータにヘッダを付加する工程（５９）をさらに有することを特徴とする請求項１に記載の方法。
【請求項３】
前記第２のテンポラリアイデンティティは一群の移動端末をアドレスすることを特徴とする請求項１又は２に記載の方法。
【請求項４】
前記第２のテンポラリアイデンティティは専用の移動端末をアドレスすることを特徴とする請求項１又は２に記載の方法。
【請求項５】
論理ダウンリンク呼出或は専用ユーザチャネルに関係したアイデンティティを送信する前に、呼出インジケータを送信する工程をさらに有することを特徴とする請求項１乃至４のいずれか１項に記載の方法。
【請求項６】
前記第１のテンポラリアイデンティティは前記第１のグループのチャネルを示すことを特徴とする請求項１乃至５のいずれか１項に記載の方法。
【請求項７】
前記論理ダウンリンクチャネルの第２のグループのデータに、一群の移動端末をアドレスする高速無線ネットワークの更なるテンポラリアイデンティティを割当てる工程をさらに有し、
前記第１のグループは特定の移動端末を対象としたデータを送信するチャネルであり、前記第２のグループは一群の移動端末を対象としたデータを送信するチャネルであることを特徴とする請求項１乃至６のいずれか１項に記載の方法。
【請求項８】
高速無線ネットワークの各テンポラリアイデンティティと対応するスケジューリングコマンドを高速制御チャネルで、そして、前記データを高速ダウンリンク共用チャネル（ＨＳ−ＤＣＨ）で送信する工程をさらに有することを特徴とする請求項１乃至７のいずれか１項に記載の方法。
【請求項９】
前記移動端末にどこで前記データを受信するのかを通知するために、前記高速無線ネットワークのテンポラリアイデンティティを用いて、前記グループのダウンリンク論理チャネルを複数の移動端末が受信可能にする情報を同報する工程をさらに有することを特徴とする請求項１乃至８のいずれか１項に記載の方法。
【請求項１０】
アクティブ通信状態にある専用移動端末のための論理チャネルのデータにマッピングされた高速無線ネットワークのテンポラリアイデンティティを保持し、端末が非アクティブ通信状態にあるときに、該端末に専用制御及びデータの送信においても該マッピングされた高速無線ネットワークのテンポラリアイデンティティを用いる工程をさらに有することを特徴とする請求項１乃至９のいずれか１項に記載の方法。
【請求項１１】
前記アクティブ通信状態とはＣＥＬＬ＿ＤＣＨ状態であることを特徴とする請求項１０に記載の方法。
【請求項１２】
前記非アクティブ通信状態とは、ＣＥＬＬ＿ＦＡＣＨ状態、ＣＥＬＬ＿ＰＣＨ状態、及びＵＲＡ＿ＰＣＨ状態のグループの状態であることを特徴とする請求項１０又は１１に記載の方法。
【請求項１３】
高速パケットアクセスをサポートする無線広域システム内の無線ネットワーク制御装置（ＲＮＣ）（２２）であって、
１つ以上の移動端末（３２）を対象とした多くの論理ダウンリンクチャネル（ＰＣＣＨ、ＣＣＣＨ、ＢＣＣＨ、ＣＴＣＨ、ＭＣＣＨ、ＭＳＣＨ、ＭＴＣＨ）においてデータを受信する手段（３１）と、
前記論理ダウンリンクチャネルの第１グループ（ＣＣＣＨ、ＢＣＣＨ、ＣＴＣＨ、ＭＣＣＨ、ＭＳＣＨ、ＭＴＣＨ）のデータに一群の移動端末をアドレスする高速無線ネットワークの第１のテンポラリアイデンティティを割り当て、高速ダウンリンク共有チャネルを経由して１つ以上の移動端末による受信のために、前記第１のグループのチャネルの前記データが送信できるようにする手段（３４，３６）と、
単一の論理ダウンリンク呼出チャネル（ＰＣＣＨ）のデータに第２のテンポラリアイデンティティを割当てる手段とを有することを特徴とする無線ネットワーク制御装置。
【請求項１４】
高速パケットアクセスをサポートする無線広域システム内の移動端末（３２）において、物理チャネルの取り除きを可能にする方法であって、前記方法は、
高速ダウンリンク共用チャネル（ＨＳ−ＤＣＨ）を経由して論理ダウンリンクチャネル（ＰＣＣＨ、ＣＣＣＨ、ＢＣＣＨ、ＣＴＣＨ、ＭＣＣＨ、ＭＳＣＨ、ＭＴＣＨ）を受信するのに必要な情報を同報制御チャネルから読み取る工程（６４）と、
高速無線ネットワークのテンポラリアイデンティティのために高速共用制御チャネルを聴取する工程（６６）と、
前記アイデンティティを検出する（６８）場合に、前記高速無線ネットワークのテンポラリアイデンティティに対するスケジューリングコマンドに従う工程（７０）と、
高速ダウンリンク共用チャネル（ＨＳ−ＤＣＨ）でデータを受信する工程（７４）と、
前記データを処理する工程（７６，８０）とを有し、
前記必要な情報は、少なくとも１つの論理ダウンリンクチャネルに割り当てられる前記高速無線ネットワークのテンポラリアイデンティティを含んでおり、
前記論理ダウンリンクチャネルの第１グループ（ＣＣＣＨ、ＢＣＣＨ、ＣＴＣＨ、ＭＣＣＨ、ＭＳＣＨ、ＭＴＣＨ）に割り当てられた、一群の移動端末をアドレスする少なくとも高速無線ネットワークの第１のテンポラリアイデンティティが存在し、
前記読み取られた必要な情報に含まれる高速無線ネットワークのテンポラリアイデンティティは単一の論理ダウンリンク呼出チャネル（ＰＣＣＨ）のデータに関係した第２のテンポラリアイデンティティであることを特徴とする方法。
【請求項１５】
前記読み取られた高速無線ネットワークのテンポラリアイデンティティは一群のチャネル（ＣＣＣＨ、ＢＣＣＨ、ＣＴＣＨ、ＭＣＣＨ、ＭＳＣＨ、ＭＴＣＨ）に割り当てられた高速無線ネットワークテンポラリアイデンティティであり、
前記チャネルに関係する前記データは、ヘッダを含み、
さらに、
どの論理チャネルに前記データが関係しているのかについての情報に関し、前記ヘッダを調べる工程（７８）と、
前記論理チャネル情報に基づく処理を選択する工程（８０）とを有することを特徴とする請求項１４に記載の方法。
【請求項１６】
前記第１のテンポラリアイデンティティは、特定の移動端末を対象としたデータを提供するチャネルに関係することを特徴とする請求項１５に記載の方法。
【請求項１７】
前記読み取られた高速無線ネットワークのテンポラリアイデンティティは、前記第１のテンポラリアイデンティティであることを特徴とする請求項１６に記載の方法。
【請求項１８】
もし、前記論理チャネル情報が特定の移動端末を対象としたデータを提供する論理チャネルを示しているなら、
前記データが前記特定の移動端末を対象としたものであるかどうかを調べ、前記データが前記特定の移動端末を対象としたものでない場合には、処理を行なわずに前記データを棄却する工程をさらに有することを特徴とする請求項１６又は１７に記載の方法。
【請求項１９】
前記第１のグループは特定の移動端末を対象としたデータを送信するチャネルであり、前記読み取られた高速無線ネットワークのテンポラリアイデンティティは一群の移動端末にデータを提供する第２のグループの論理ダウンリンクチャネルに関係した高速無線ネットワークの更なるテンポラリアイデンティティであることを特徴とする請求項１５に記載の方法。
【請求項２０】
アクティブ通信状態にあるときに前記移動端末のための論理チャネルのデータにマッピングされた高速無線ネットワークのテンポラリアイデンティティを保持し、前記移動端末が非アクティブ通信状態にあるときに、専用制御及びデータの受信のために該マッピングされた高速無線ネットワークのテンポラリアイデンティティを用いる工程をさらに有することを特徴とする請求項１４乃至１９のいずれか１項に記載の方法。
【請求項２１】
前記アクティブ通信状態は、ＣＥＬＬ＿ＤＣＨ状態であることを特徴とする請求項２０に記載の方法。
【請求項２２】
前記非アクティブ通信状態は、ＣＥＬＬ＿ＦＡＣＨ状態、ＣＥＬＬ＿ＰＣＨ状態、及びＵＲＡ＿ＰＣＨ状態のグループの状態であることを特徴とする請求項２０又は２１に記載の方法。
【請求項２３】
論理ダウンリンク呼出或は専用ユーザチャネルに関係した高速無線ネットワークのテンポラリアイデンティティを受信する前に、呼出インジケータを受信する工程をさらに有することを特徴とする請求項１４乃至２２のいずれか１項に記載の方法。
【請求項２４】
高速パケットアクセスをサポートする無線広域システムにおいて備えられる移動端末であって、
高速ダウンリンク共用チャネルを経由して論理ダウンリンクチャネルを受信するのに必要な情報を同報制御チャネルから読み取る手段（３８）と、
高速無線ネットワークのテンポラリアイデンティティのために高速共用制御チャネルを聴取する手段（３８）と、
前記アイデンティティを検出する場合に、前記高速無線ネットワークのテンポラリアイデンティティに対するスケジューリングコマンドに従う手段（３８）と、
高速ダウンリンク共用チャネルでデータを受信する手段（３８）と、
前記データを処理する手段（４４，４６，４８，５０）と、
前記読み取られた必要な情報に含まれる高速無線ネットワークのテンポラリアイデンティティが単一の論理ダウンリンク呼出チャネル（ＰＣＣＨ）のデータに関係した第２のアイデンティティであるかどうかを判断する手段とを有し、
前記必要な情報は、少なくとも１つの論理ダウンリンクチャネルに割り当てられる高速無線ネットワークのテンポラリアイデンティティを含んでおり、前記論理ダウンリンクチャネルの第１グループに割り当てられ、一群の移動端末をアドレスする、少なくとも第１の高速無線ネットワークのテンポラリアイデンティティが存在することを特徴とする移動端末。